(57)【特許請求の範囲】
【請求項１】
下階部と、その下階部の上方に隣接する上階部とを備え、
前記下階部は、複数の下階ユニットが並設されることにより構成され、
前記上階部は、複数の上階ユニットが並設されることにより構成され、
前記下階部と前記上階部との間の階間部分には、前記下階部の天井面材と前記上階部の床面材との間の空間である階間空間が形成されており、
前記階間空間では、前記下階ユニットの下階天井大梁と前記上階ユニットの上階床大梁とが上下に対向配置され、該対向配置された各大梁により階間大梁部が構成されており、
前記階間空間は、上下に隣接する前記下階ユニット及び前記上階ユニットのユニット境界部ごとに、前記階間大梁部により複数のユニット階間空間部に区画されており、
前記階間大梁部を構成する前記下階天井大梁及び前記上階床大梁はいずれも前記ユニット階間空間部に開放された溝部を有する形鋼からなる戸建てのユニット式住宅に適用され、
隣り合う前記ユニット階間空間部の境界部に位置する前記階間大梁部は境界階間大梁部であり、
前記隣り合うユニット階間空間部の境界部では、それら各ユニット階間空間部をそれぞれ区画する一対の前記境界階間大梁部が隣接配置されており、
前記下階部における前記一対の境界階間大梁部の下方位置、及び、前記上階部における前記一対の境界階間大梁部の上方位置の少なくともいずれかには壁が存在しておらず、
前記一対の境界階間大梁部ではそれぞれ、前記下階天井大梁及び前記上階床大梁の各溝部にそれぞれ吸音材がそれら大梁に沿って配設されていることを特徴とする建物の吸音構造。
【請求項２】
前記複数のユニット階間空間部のうち所定のユニット階間空間部は、その周囲が前記境界階間大梁部を含む複数の前記階間大梁部により囲まれており、
前記複数の階間大梁部のそれぞれにおいて前記下階天井大梁及び前記上階床大梁の各溝部に前記吸音材が大梁に沿って配設されることで、前記所定のユニット階間空間部がそれら吸音材により囲まれた吸音空間部となっていることを特徴とする請求項１に記載の建物の吸音構造。
【請求項３】
前記下階部には、前記天井面材の下方空間として下階居室が設けられており、
前記下階居室の上方に位置する前記ユニット階間空間部が前記吸音空間部とされていることを特徴とする請求項２に記載の建物の吸音構造。
【請求項４】
前記上階部には、前記床面材の上方空間として上階居室又は廊下のいずれかである音発生空間が設けられており、
前記音発生空間の下方に位置する前記ユニット階間空間部が前記吸音空間部とされていることを特徴とする請求項２又は３記載の建物の吸音構造。
【請求項５】
前記下階部には、前記天井面材の下方空間として下階居室が設けられ、
前記上階部には、前記床面材の上方空間として上階居室又は廊下のいずれかである音発生空間が設けられ、
前記音発生空間は、前記下階居室の真上位置とは異なる位置に配置され、
前記ユニット階間空間部として、前記下階居室の上方には第１ユニット階間空間部が設けられ、前記音発生空間の下方には第２ユニット階間空間部が設けられ、
前記第１ユニット階間空間部と前記第２ユニット階間空間部との間において当該第２ユニット階間空間部を区画する前記境界階間大梁部には、前記下階天井大梁及び前記上階床大梁の各溝部に前記吸音材が配設されていることを特徴とする請求項１乃至４のいずれか一項に記載の建物の吸音構造。
【請求項６】
前記境界階間大梁部を構成する前記下階天井大梁及び前記上階床大梁のうち少なくともいずれかには梁貫通孔が形成されており、
前記各大梁のうち前記梁貫通孔が形成された大梁の前記溝部には、前記吸音材が前記梁貫通孔を塞ぐように配設されていることを特徴とする請求項１乃至５のいずれか一項に記載の建物の吸音構造。
【発明の詳細な説明】
【技術分野】
【０００１】
本発明は、建物の吸音構造に関する。
【背景技術】
【０００２】
従来より、柱、床大梁及び天井大梁を有してなる建物ユニットが複数組み合わされて構築されたユニット式建物が知られている。ユニット式建物が下階部と上階部とを有する多層階建てとされている場合、下階部が並設された複数の下階ユニットにより構成され、上階部が並設された複数の上階ユニットにより構成される（例えば特許文献１参照）。
【０００３】
このような多層階建てのユニット式建物では、下階部の天井面材と上階部の床面材との間に階間空間が形成されている。階間空間は、複数の下階ユニット及び上階ユニットに跨がって水平方向に拡がるように形成されている。
【先行技術文献】
【特許文献】
【０００４】
【特許文献１】特開２０１１−２１４３２１号公報
【発明の概要】
【発明が解決しようとする課題】
【０００５】
ところで、上述した多層階建てのユニット式建物では、上階部の床部に物が落下する等して衝撃音（床衝撃音）が発生した場合、その床衝撃音が階間空間を通じて拡散することが想定される。その場合、その床衝撃音が階間空間を通じて下階部の広範囲に伝わるおそれがある。
【０００６】
本発明は、上記事情に鑑みてなされたものであり、下階部と上階部とを有する多層階建てのユニット式建物において、上階部で発生した床衝撃音が下階部に広く伝わるのを抑制することができる建物の吸音構造を提供することを主たる目的とするものである。
【課題を解決するための手段】
【０００７】
上記課題を解決すべく、第１の発明の建物の吸音構造は、下階部と、その下階部の上方に隣接する上階部とを備え、前記下階部は、複数の下階ユニットが並設されることにより構成され、前記上階部は、複数の上階ユニットが並設されることにより構成され、前記下階部と前記上階部との間の階間部分には、前記下階部の天井面材と前記上階部の床面材との間の空間である階間空間が形成されており、前記階間空間では、前記下階ユニットの下階天井大梁と前記上階ユニットの上階床大梁とが上下に対向配置され、該対向配置された各大梁により階間大梁部が構成されており、前記階間空間は、上下に隣接する前記下階ユニット及び前記上階ユニットのユニット境界部ごとに、前記階間大梁部により複数のユニット階間空間部に区画されており、前記階間大梁部を構成する前記下階天井大梁及び前記上階床大梁はいずれも前記ユニット階間空間部に開放された溝部を有する形鋼からなるユニット式建物に適用され、隣り合う前記ユニット階間空間部の境界部に位置する前記階間大梁部は境界階間大梁部であり、その境界階間大梁部には、前記下階天井大梁及び前記上階床大梁の各溝部にそれぞれ吸音材がそれら大梁に沿って配設されていることを特徴とする。
【０００８】
多層階建てのユニット式建物において、下階部の天井面材と上階部の床面材との間の階間空間では、下階ユニットの下階天井大梁と上階ユニットの上階床大梁とが上下に対向配置され、それら対向配置された両大梁により階間大梁部が構成されている。この場合、階間空間は、上下に隣接する下階ユニット及び上階ユニットのユニット境界部ごとに、階間大梁部によって複数のユニット階間空間部に区画されている。階間大梁部を構成する下階天井大梁及び上階床大梁はいずれも溝部を有する形鋼からなり、その溝部をユニット階間空間部に向けて配設されている。
【０００９】
このような多層階建てのユニット式建物において、本発明では、隣り合うユニット階間空間部の境界部に位置する階間大梁部（境界階間大梁部）に着目し、その階間大梁部を構成する下階天井大梁及び上階床大梁の各溝部に吸音材を配設している。この場合、それらの吸音材が隣り合うユニット階間空間部の境界部においてそれらユニット階間空間部のうち一方のユニット階間空間部に面して配置されるため、階間空間において当該一方のユニット階間空間部から他方のユニット階間空間部へ拡散される音を吸音材により吸収することができる。これにより、階間空間における音の拡散を抑制することができるため、上階部で生じた床衝撃音が階間空間を通じて下階部に広く伝わるのを抑制することができる。
【００１０】
第２の発明の建物の吸音構造は、第１の発明において、前記隣り合うユニット階間空間部の境界部では、それら各ユニット階間空間部をそれぞれ区画する一対の前記境界階間大梁部が隣接配置されており、前記一対の境界階間大梁部ではそれぞれ、前記下階天井大梁及び前記上階床大梁の各溝部に前記吸音材が配設されていることを特徴とする。
【００１１】
隣り合うユニット階間空間部の境界部では、それら各ユニット階間空間部をそれぞれ区画する一対の境界階間大梁部が隣接配置されている。この場合、それら一対の境界階間大梁部では、下階天井大梁及び上階床大梁の各溝部がそれぞれ各ユニット階間空間部に向けて開放されている。そこで本発明では、それら一対の境界階間大梁部に対してそれぞれ、下階天井大梁及び上階床大梁の各溝部に吸音材を配設している。この場合、吸音材が隣り合うユニット階間空間部のそれぞれに面して配置されるため、隣り合うユニット階間空間部のうち一方から他方に拡散される音、及び、他方から一方に拡散される音のそれぞれを吸音材により吸収することができる。これにより、階間空間における音の拡散を双方向に抑制することができるため、上階部で生じた床衝撃音が階間空間を通じて下階部に広く伝わるのを好適に抑制することができる。
【００１２】
第３の発明の建物の吸音構造は、第１又は第２の発明において、前記複数のユニット階間空間部のうち所定のユニット階間空間部は、その周囲が前記境界階間大梁部を含む複数の前記階間大梁部により囲まれており、前記複数の階間大梁部のそれぞれにおいて前記下階天井大梁及び前記上階床大梁の各溝部に前記吸音材が大梁に沿って配設されることで、前記所定のユニット階間空間部がそれら吸音材により囲まれた吸音空間部となっていることを特徴とする。
【００１３】
本発明によれば、（所定の）ユニット階間空間部を囲む複数の階間大梁部のそれぞれにおいて下階天井大梁及び上階床大梁の各溝部に吸音材が配設され、それにより、所定のユニット階間空間部がそれら吸音材により囲まれた吸音空間部となっている。この場合、その吸音空間部では、音を各吸音材により吸収して減衰させることができるため、上階部から下階部に階間空間（吸音空間部）を通じて伝わる床衝撃音の低減を図ることができる。
【００１４】
また、吸音空間部はその周囲が吸音材により囲まれているため、吸音空間部と隣接する各ユニット階間空間部それぞれへの音の拡散を抑制することができる。この場合、階間空間における音の拡散をより一層抑制することができるため、上階部からの床衝撃音が階間空間を通じて下階部に広く伝わるのをより一層抑制することができる。
【００１５】
第４の発明の建物の吸音構造は、第３の発明において、前記下階部には、前記天井面材の下方空間として下階居室が設けられており、前記下階居室の上方に位置する前記ユニット階間空間部が前記吸音空間部とされていることを特徴とする。
【００１６】
本発明によれば、下階居室の上方に位置するユニット階間空間部が吸音空間部とされているため、上階部からの床衝撃音はその吸音空間部において吸音され減衰された後、下階居室に伝わることになる。これにより、居住者が滞在することの多い下階居室に伝わる床衝撃音について低減を図ることができる。
【００１７】
第５の発明の建物の吸音構造は、第３又は第４の発明において、前記上階部には、前記床面材の上方空間として上階居室又は廊下のいずれかである音発生空間が設けられており、前記音発生空間の下方に位置する前記ユニット階間空間部が前記吸音空間部とされていることを特徴とする。
【００１８】
居住者が滞在したり移動したりする居室や廊下では、他の部屋と比べて床衝撃音が発生し易いと考えられる。そこで本発明では、この点に鑑み、上階部に設けられた居室（上階居室）又は廊下のいずれか（音発生空間）の下方に位置するユニット階間空間部を吸音空間部としている。この場合、音発生空間にて床衝撃音が発生した場合、その音が下方の吸音空間部において吸音され減衰されるため、音発生空間から下階部に伝わる床衝撃音を好適に抑制することができる。
【００１９】
第６の発明の建物の吸音構造は、第１乃至第５のいずれかの発明において、前記下階部には、前記天井面材の下方空間として下階居室が設けられ、前記上階部には、前記床面材の上方空間として上階居室又は廊下のいずれかである音発生空間が設けられ、前記音発生空間は、前記下階居室の真上位置とは異なる位置に配置され、前記ユニット階間空間部として、前記下階居室の上方には第１ユニット階間空間部が設けられ、前記音発生空間の下方には第２ユニット階間空間部が設けられ、前記第１ユニット階間空間部と前記第２ユニット階間空間部との間において当該第２ユニット階間空間部を区画する前記境界階間大梁部には、前記下階天井大梁及び前記上階床大梁の各溝部に前記吸音材が配設されていることを特徴とする。
【００２０】
ところで、上階部に設けられた居室（上階居室）や廊下が、下階部に設けられた居室（下階居室）の真上位置とは異なる位置に配置されている構成であっても、上階居室や廊下で生じた床衝撃音が階間空間を通じて下階居室に伝わるおそれはある。そこで本発明では、この点に鑑みて、下階部に設けられた下階居室の上方に位置するユニット階間空間部（以下、第１ユニット階間空間部という）と、上階部に設けられた上階居室又は廊下のいずれか（音発生空間）の下方に位置するユニット階間空間部（以下、第２ユニット階間空間部という）との間において当該第２ユニット階間空間部を区画する境界階間大梁部に対し同大梁部を構成する下階天井大梁及び上階床大梁の各溝部に吸音材を配設している。この場合、第２ユニット階間空間部から第１ユニット階間空間部に拡散される床衝撃音を吸音材により吸収することができるため、かかる音の拡散を抑制することができる。これにより、音発生空間で生じた床衝撃音が階間空間（詳しくは第１及び第２ユニット階間空間部）を通じて下階居室に伝わるのを抑制することができる。
【００２１】
第７の発明の建物の吸音構造は、第１乃至第６のいずれかの発明において、前記境界階間大梁部を構成する前記下階天井大梁及び前記上階床大梁のうち少なくともいずれかには梁貫通孔が形成されており、前記各大梁のうち前記梁貫通孔が形成された大梁の前記溝部には、前記吸音材が前記梁貫通孔を塞ぐように配設されていることを特徴とする。
【００２２】
階間空間において境界階間大梁部を構成する下階天井大梁及び上階床大梁には、配線や配管等を通すために梁貫通孔が形成されている場合がある。この場合、隣り合うユニット階間空間部の間で音が梁貫通孔を通じて拡散され易い（漏れ易い）。そこで本発明では、この点に鑑み、境界階間大梁部を構成する下階天井大梁及び上階床大梁のうち梁貫通孔が形成されている大梁の溝部には吸音材を当該梁貫通孔を塞ぐように配設している。これにより、梁貫通孔を通じた音の拡散（音漏れ）を好適に抑制することができる。
【図面の簡単な説明】
【００２３】
【図１】ユニット式建物の概要を示す斜視図。
【図２】建物ユニットの構成を示す斜視図。
【図３】（ａ）が一階部分の間取りを示す平面図であり、（ｂ）が二階部分の間取りを示す平面図である。
【図４】階間部分周辺の構成を示す縦断面図。
【図５】グラスウールの配設状態を説明するための図。
【図６】他の実施形態における階間部分周辺を示す縦断面図。
【図７】（ａ）が他の実施形態におけるユニット式建物の概要を示す図であり、（ｂ）がその建物における階間部分周辺を示す縦断面図である。
【発明を実施するための形態】
【００２４】
以下、本発明を具体化した一実施形態について図面を参照しつつ説明する。本実施形態では、鉄骨ラーメン構造を有する二階建てのユニット式建物において本発明を具体化している。図１はユニット式建物の概要を示す斜視図であり、図２は建物ユニット２０の構成を示す斜視図である。
【００２５】
図１に示すように、住宅等の建物１０は、基礎１１上に設けられた建物本体１２と、その上方に設けられた屋根部１３とを備える。建物本体１２は、下階部としての一階部分１４と、上階部としての二階部分１５とを有する二階建てであり、複数の建物ユニット２０が互いに連結されることにより構成されている。建物ユニット２０は製造工場においてあらかじめ製造され、その後施工現場にトラック等により運搬されるものとなっている。
【００２６】
なお、以下の説明では、一階部分１４を構成する建物ユニット２０を「下階ユニット２０Ａ」ともいい、二階部分１５を構成する建物ユニット２０を「上階ユニット２０Ｂ」ともいう。また、下階ユニット２０Ａと上階ユニット２０Ｂとは上下に１対１の関係で配設されている。
【００２７】
図２には建物ユニット２０の斜視図を示す。図２に示すように、建物ユニット２０は、その四隅に配設される４本の柱２１と、各柱２１の上端部及び下端部をそれぞれ連結する各４本の天井大梁２２及び床大梁２３とを備えている。この場合、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その溝部２２ａ，２３ａを水平方向の内側に向けて設置されている。また、天井大梁２２（詳細には、そのウエブ）には、複数の箇所に梁貫通孔２２ｂが設けられている。
【００２８】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００２９】
次に、建物１０の間取りについて説明する。図３は（ａ）が一階部分１４の間取りを示す平面図であり、（ｂ）が二階部分１５の間取りを示す平面図である。
【００３０】
まず、一階部分１４の間取りについて説明する。図３（ａ）に示すように、一階部分１４には、屋内空間（一階空間部）として、玄関３１と、玄関ホール３２と、リビングダイニング３３（ＬＤ）と、キッチン３４と、浴室３５と、洗面室３６と、トイレ３７と、廊下３８とが設けられている。リビングダイニング３３は、キッチン３４と連続して設けられており、キッチン３４とともに連続空間を形成している。リビングダイニング３３は、互いの桁面（長辺側の側面）同士を向き合わせて隣り合う２つの建物ユニット２０（すなわち下階ユニット２０Ａ）の内部に跨がって形成されている。詳しくは、リビングダイニング３３は、上記２つの下階ユニット２０Ａのうち屋外側に配置された下階ユニット２０Ａの内部空間全域と、屋内側に配置された下階ユニット２０Ａの内部空間の一部とを用いて形成されている。なお、リビングダイニング３３が下階居室に相当する。
【００３１】
続いて、二階部分１５の間取りについて説明する。図３（ｂ）に示すように、二階部分１５には、屋内空間（二階空間部）として、居室４１と、寝室４２と、トイレ４３と、廊下４４とが設けられている。居室４１は、子供部屋として用いられている。居室４１には、子供が利用する学習机４７やベッド４８等が設けられている。居室４１は、一階部分１４のリビングダイニング３３の上方（真上）に位置している。居室４１は、互いの桁面（長辺側の側面）同士を向き合わせて隣り合う２つの建物ユニット２０（すなわち上階ユニット２０Ｂ）の内部に跨がって形成されており、詳しくはそれら２つの上階ユニット２０Ｂの内部空間全域を用いて形成されている。また、これら２つの上階ユニット２０Ｂはそれぞれリビングダイニング３３を形成する２つの下階ユニット２０Ａの上方に配設されている。なお、居室４１が上階居室及び音発生空間に相当する。
【００３２】
廊下４４は、居室４１及び寝室４２にそれぞれ通じているとともに、一階部分１４へ延びる階段３９にも通じている。廊下４４は、ホールとしても利用可能な比較的広いスペースを有して形成されており、その壁際には机４９が設けられている。なお、廊下４４が音発生空間に相当する。
【００３３】
廊下４４は、一の上階ユニット２０Ｂの内部空間（詳しくはその一部）を用いて形成されている。廊下４４を形成する上階ユニット２０Ｂは、居室４１を形成する上記２つの上階ユニット２０Ｂのうち屋内側に配置された上階ユニット２０Ｂと互いの桁面を向き合わせた状態で隣り合っている。
【００３４】
次に、一階部分１４と二階部分１５との間の階間部分の構成について図４に基づいて説明する。図４は、階間部分周辺の構成を示す縦断面図である。なお、図４は、階間部分周辺を図３（ａ）のＡ−Ａ線及び図３（ｂ）のＢ−Ｂ線で切断した断面図に相当する。
【００３５】
図４に示すように、一階部分１４の一階空間部３１〜３８と二階部分１５の二階空間部４１〜４４とは階間部分１６により上下に仕切られている。階間部分１６は、一階空間部３１〜３８の天井部と、二階空間部４１〜４４の床部とを含んで構成されている。
【００３６】
階間部分１６における一階空間部３１〜３８の天井部の構成として、下階ユニット２０Ａの天井大梁２２（以下、この符号にＡを付す）の下面には当該天井大梁２２Ａに沿って野縁５１が取り付けられている。野縁５１の下面には天井面材２７がビス等で固定されている。天井面材２７は、二枚重ねされた石膏ボードにより構成されている。また、隣り合う天井面材２７の間にはそれら両天井面材２７を繋ぐ天井繋ぎ面材５２が設けられている。天井繋ぎ面材５２は、天井面材２７と同じ二枚重ねの石膏ボードにより構成され、天井面材２７と同じ厚みを有している。天井繋ぎ面材５２は、隣り合う下階ユニット２０Ａの隣接する各天井大梁２２Ａの野縁５１の下面に跨がって配設され、それら野縁５１に対してビス等で固定されている。なお、天井大梁２２Ａが下階天井大梁に相当する。
【００３７】
階間部分１６における二階空間部４１〜４４の床部の構成として、上階ユニット２０Ｂの床大梁２３（以下、この符号にＢを付す）の上面には当該床大梁２３Ｂに沿って根太５４が設けられている。根太５４の上面には床面材２８がビス等で固定されている。床面材２８は、パーティクルボードにより構成されている。また、隣り合う床面材２８の間にはそれら両床面材２８を繋ぐ床繋ぎ面材５５が設けられている。床繋ぎ面材５５は、床面材２８と同じパーティクルボードにより構成され、床面材２８と同じ厚みを有している。床繋ぎ面材５５は、隣り合う上階ユニット２０Ｂの隣接する各床大梁２３Ｂの根太５４の上面に跨がって配設され、それら根太５４に対してビス等で固定されている。なお、床大梁２３Ｂが上階床大梁に相当する。
【００３８】
階間部分１６において一階空間部３１〜３８（一階部分１４）の天井面材２７，５２と二階空間部４１〜４４（二階部分１５）の床面材２８，５５の間の空間は階間空間１８となっている。階間空間１８は、複数の下階ユニット２０Ａ及び上階ユニット２０Ｂに跨がって水平方向に拡がるように形成されている。階間空間１８は、天井面材２７，５２により一階空間部３１〜３８と区画され、床面材２８，５５により二階空間部４１〜４４と区画されている。
【００３９】
なお、この場合、一階空間部３１〜３８が一階部分１４における天井面材２７，５２の下方空間に相当し、二階空間部４１〜４４が二階部分１５における床面材２８，５５の上方空間に相当する。
【００４０】
二階部分１５には、居室４１と廊下４４とを仕切る間仕切壁５７が設けられている。また、一階部分１４のリビングダイニング３３と二階部分１５の居室４１とは外壁部５８により屋外と仕切られている。外壁部５８は、一階部分１４及び二階部分１５にそれぞれ外壁パネル６１と内壁パネル６２とを有し、外壁パネル６１と内壁パネル６２との間にはグラスウールからなる壁内断熱材（図示略）が配設されている。
【００４１】
続いて、階間空間１８の内部構成について詳しく説明する。
【００４２】
階間空間１８では、上下に隣接する下階ユニット２０Ａ及び上階ユニット２０Ｂについて、その下階ユニット２０Ａの天井大梁２２Ａとその上階ユニット２０Ｂの床大梁２３Ｂとが上下に対向して配置されている。具体的には、下階ユニット２０Ａの（４本の）各天井大梁２２Ａと上階ユニット２０Ｂの（４本の）各床大梁２３Ｂとがそれぞれ上下に対向して配置されている。この場合、上下に隣接する下階ユニット２０Ａ及び上階ユニット２０Ｂの境界部（以下、ユニット境界部ともいう）では、上下に対向する天井大梁２２Ａ及び床大梁２３Ｂからなる階間大梁部６５が四辺に配置されている。
【００４３】
ユニット境界部には、周囲が複数（４辺）の階間大梁部６５により区画されたユニット階間空間部６７が形成されている。ユニット階間空間部６７は、下階ユニット２０Ａの天井面材２７と上階ユニット２０Ｂの床面材２８との間において上記複数の階間大梁部６５により囲まれた空間となっている。ユニット階間空間部６７は、階間空間１８において上記ユニット境界部ごとに形成されている。換言すると、階間空間１８は、階間大梁部６５により上記ユニット境界部ごとに複数のユニット階間空間部６７に区画されている。
【００４４】
ユニット階間空間部６７を囲む各階間大梁部６５ではそれぞれ、当該大梁部６５を構成する天井大梁２２Ａ及び床大梁２３Ｂの各溝部２２ａ，２３ａがユニット階間空間部６７に向けて開放されている。この場合、隣り合うユニット階間空間部６７の境界部では一対の階間大梁部６５が隣接配置されているが、それら一対の階間大梁部６５のうち一方の階間大梁部６５を構成する天井大梁２２Ａ及び床大梁２３Ｂと、他方の階間大梁部６５を構成する天井大梁２２Ａ及び床大梁２３Ｂとは、互いの溝部２２ａ，２３ａを反対側に向けて（換言すると互いのウェブを対向させて）配設されている。
【００４５】
なお、以下の説明では、隣り合うユニット階間空間部６７の境界部に配置された階間大梁部６５の符号にａを付し、建物１０の外周部に配設された階間大梁部６５の符号にｂを付す。この場合、階間大梁部６５ａが境界階間大梁部に相当し、階間大梁部６５ｂが屋外側階間大梁部に相当する。
【００４６】
ところで、本建物１０では、階間大梁部６５を構成する天井大梁２２Ａ及び床大梁２３Ｂの各溝部２２ａ，２３ａにそれぞれグラスウールを吸音材として配設し、それにより階間空間１８に吸音構造を構築している。以下においては、かかる吸音構造について図４に加え図５を用いながら説明する。図５は、グラスウールの配設状態を説明するための図である。なお、図５では、グラスウール６９が配設されている階間大梁部６５ａ．６５ｂをドットハッチを付して示している。
【００４７】
図４及び図５に示すように、階間部分１６に形成された各ユニット階間空間部６７のうち、一階部分１４のリビングダイニング３３と二階部分１５の居室４１との間に位置する２つのユニット階間空間部６７ａ，６７ｂについては、その周囲に設けられた各階間大梁部６５を構成する天井大梁２２Ａ及び床大梁２３の各溝部２２ａ，２３ａにそれぞれグラスウール６９が配設されている。グラスウール６９は、吸音性能に優れた吸音材である。グラスウール６９は、大梁２２Ａ，２３Ｂに沿った長尺状に形成され、大梁２２Ａ，２３Ｂの長手方向全域に亘って配設されている。また、グラスウール６９は、溝部２２ａ，２３ａを埋めるようにして配設され、その配設状態で大梁２２Ａ，２３Ｂの溝部２２ａ，２３ａを囲む上下のフランジ及びウェブにそれぞれ接触（当接）している。したがって、天井大梁２２Ａの溝部２２ａに配設されたグラスウール６９については、ウェブに形成された梁貫通孔２２ｂを塞いだ状態で配設されている。
【００４８】
なお、各ユニット階間空間部６７ａ，６７ｂのうち、ユニット階間空間部６７ａが（ユニット短手方向で見て）屋外側に位置し、ユニット階間空間部６７ｂが屋内側に位置している。また、ユニット階間空間部６７ｂが第１ユニット階間空間部に相当する。
【００４９】
上記の構成では、各ユニット階間空間部６７ａ，６７ｂがそれぞれ、周囲（４辺）を各階間大梁部６５ａ，６５ｂ（天井大梁２２Ａ及び床大梁２３）に配設されたグラスウール６９により囲まれている。そのため、これらのユニット階間空間部６７ａ，６７ｂはそれぞれ吸音空間部となっている。また、各階間大梁部６５ａ，６５ｂのうち屋外側の階間大梁部６５ｂに配設されたグラスウール６９については、吸音材として用いられているだけでなく、断熱材としても用いられている。つまり、このグラスウール６９は、天井大梁２２Ａ及び床大梁２３Ｂが熱橋となるのを抑制する梁内断熱材としても用いられている。
【００５０】
なお、吸音材としては、必ずしもグラスウール６９を用いる必要はなく、ロックウールやフェルト等、他の吸音材を用いてもよい。
【００５１】
二階部分１５の廊下４４の下方に位置するユニット階間空間部６７（以下、この符号にｃを付す）は、ユニット階間空間部６７ｂに隣接している。このユニット階間空間部６７ｃを囲む各階間大梁部６５ａ，６５ｂのうち、ユニット階間空間部６７ｂ側に配置された階間大梁部６５ａ、すなわち隣り合うユニット階間空間部６７ｂ、６７ｃの境界部に位置する階間大梁部６５ａには、その天井大梁２２Ａ及び床大梁２３Ｂの各溝部２２ａ，２３ａにグラスウール６９（吸音材に相当）が配設されている。グラスウール６９は、大梁２２Ａ，２３Ｂに沿った長尺状に形成され、大梁２２Ａ，２３Ｂの長手方向全域に亘って配設されている。この場合、隣り合うユニット階間空間部６７ｂ、６７ｃの境界部にて隣接配置された一対の各階間大梁部６５ａにはそれぞれ、天井大梁２２Ａ及び床大梁２３Ｂの各溝部２２ａ，２３ａにグラスウール６９が配設されている。なお、ユニット階間空間部６７ｃが第２ユニット階間空間部に相当する。
【００５２】
また、階間部分１６における各階間大梁部６５ａ，６５ｂのうち、屋外側の階間大梁部６５ｂについてはその全部において（つまり、上述したユニット階間空間部６７ａ，ｂ周りの階間大梁部６５ｂだけでなく）、天井大梁２２Ａ及び床大梁２３Ｂの各溝部２２ａ，２３ａにグラスウール６９が配設されている。これらのグラスウール６９は、吸音材として用いられているだけでなく、断熱材としても用いられており、詳しくは大梁２２Ａ，２３Ｂの熱橋を抑制する梁内断熱材としても用いられている。
【００５３】
以上、詳述した本実施形態の構成によれば、以下の優れた効果が得られる。
【００５４】
隣り合うユニット階間空間部６７の境界部に位置する階間大梁部６５ａについて、同大梁部６５ａを構成する天井大梁２２Ａ及び床大梁２３Ｂの各溝部２２ａ，２３ａにそれぞれグラスウール６９を吸音材として配設した。この場合、それらのグラスウール６９が隣り合うユニット階間空間部６７の境界部においてそれらユニット階間空間部６７のうち一方のユニット階間空間部６７に面して配置されるため、階間空間１８において当該一方のユニット階間空間部６７から他方のユニット階間空間部６７へ拡散される音をグラスウール６９により吸収することができる。これにより、階間空間１８における音の拡散を抑制することができるため、二階部分１５（二階空間部）で生じた床衝撃音が階間空間１８を通じて一階部分１４（一階空間部）に広く伝わるのを抑制することができる。
【００５５】
ところで、隣り合うユニット階間空間部６７の境界部（例えば隣り合うユニット階間空間部６７ａ，６７ｂの境界部や、隣り合うユニット階間空間部６７ｂ，６７ｃの境界部）では、それらユニット階間空間部６７をそれぞれ区画する一対の階間大梁部６５ａが隣接配置されている。この場合、それら一対の階間大梁部６５ａでは、天井大梁２２Ａ及び床大梁２３Ｂの各溝部２２ａ，２３ａがそれぞれ各ユニット階間空間部６７に向けて開放されている。そこで上記の実施形態では、この点に鑑みて、それら一対の階間大梁部６５ａに対してそれぞれ、天井大梁２２Ａ及び床大梁２３Ｂの各溝部２２ａ，２３ａにグラスウール６９を配設した。この場合、グラスウール６９が隣り合うユニット階間空間部６７のそれぞれに面して配置されるため、隣り合うユニット階間空間部６７のうち一方から他方に拡散される音、及び、他方から一方に拡散される音のそれぞれをグラスウール６９により吸収することができる。これにより、階間空間１８における音の拡散を双方向に抑制することができるため、二階部分１５で生じた床衝撃音が階間空間１８を通じて一階部分１４に広く伝わるのを好適に抑制することができる。
【００５６】
ユニット階間空間部６７ａ，６７ｂの周囲を囲む（４辺の）各階間大梁部６５ａ，６５ｂのそれぞれについて、天井大梁２２Ａ及び床大梁２３Ｂの各溝部２２ａ，２３ａにグラスウール６９を配設した。この場合、これらのユニット階間空間部６７ａ，６７ｂについては、周囲がグラスウール６９により囲まれた吸音空間部となる。これにより、その吸音空間部（ユニット階間空間部６７ａ，６７ｂ）では、音を各グラスウール６９により吸収して減衰させることができるため、二階部分１５から一階部分１４に階間空間１８（吸音空間部）を通じて伝わる床衝撃音について低減を図ることができる。
【００５７】
また、吸音空間部（ユニット階間空間部６７ａ，６７ｂ）はその周囲がグラスウール６９により囲まれているため、吸音空間部６７ａ，６７ｂと隣接する各ユニット階間空間部６７それぞれへの音の拡散を抑制することができる。この場合、階間空間１８における音の拡散をより一層抑制することができるため、二階部分１５からの床衝撃音が階間空間１８を通じて一階部分１４に広く伝わるのをより一層抑制することができる。
【００５８】
リビングダイニング３３の上方（真上）に位置するユニット階間空間部６７ａ，６７ｂを吸音空間部としたため、二階部分１５からの床衝撃音は同空間部６７ａ，６７ｂにて吸音されて減衰された後、リビングダイニング３３に伝達されることになる。これにより、居住者が滞在することの多いリビングダイニング３３へ伝わる床衝撃音の低減を図ることができる。
【００５９】
二階部分１５の居室４１は居住者が滞在する場であるため、他の部屋（例えばトイレ４３）と比べて床衝撃音が発生し易いと考えられる。特に、居室４１が子供部屋として用いられる場合、それが顕著になると考えられる。そこで、上記の実施形態では、この点に鑑み、居室４１の下方（真下）に位置するユニット階間空間部６７ａ，６７ｂを吸音空間部とした。この場合、居室４１で床衝撃音が発生すると、その音が下方のユニット階間空間部６７ａ，６７ｂ（つまり吸音空間部）において吸音され減衰されるため、居室４１から一階部分１４に伝わる床衝撃音を好適に抑制することができる。
【００６０】
二階部分１５の廊下４４は居住者が移動する際に用いられる移動空間であるため、床衝撃音が発生し易いと考えられる。ここで、廊下４４が一階部分１４のリビングダイニング３３の真上位置とは異なる位置に配置されている上述の構成であっても、廊下４４で床衝撃音が生じた場合、その床衝撃音が階間空間１８を通じてリビングダイニング３３に伝わるおそれがある。そこで上記の実施形態では、この点に鑑み、廊下４４の下方（真下）に位置するユニット階間空間部６７ｃと、リビングダイニング３３の上方（真上）に位置するユニット階間空間部６７ｂとの間（境界部）においてユニット階間空間部６７ｃを区画する階間大梁部６５ａに対して、その天井大梁２２Ａ及び床大梁２３Ｂの各溝部２２ａ，２３ａにグラスウール６９を配設した。この場合、ユニット階間空間部６７ｃからユニット階間空間部６７ｂに拡散される床衝撃音をそのグラスウール６９により吸収することができるため、かかる音の拡散を抑制することができる。これにより、廊下４４で生じた床衝撃音が階間空間１８（詳しくはユニット階間空間部６７ｂ，６７ｃ）を通じてリビングダイニング３３へ伝わるのを抑制することができる。
【００６１】
階間大梁部６５ａを構成する天井大梁２２Ａの溝部２２ａには、当該天井大梁２２Ａに形成された梁貫通孔２２ｂを塞ぐようにしてグラスウール６９を配設した。この場合、梁貫通孔２２ｂを通じた音（床衝撃音）の拡散（音漏れ）を好適に抑制することができる。
【００６２】
本発明は上記実施形態に限らず、例えば次のように実施されてもよい。
【００６３】
・上記実施形態では、居室４１の下方に位置する各ユニット階間空間部６７ａ，６７ｂをそれぞれ吸音空間部としたが、これら各ユニット階間空間部６７ａ，６７ｂのうちいずれか一方だけを吸音空間部としてもよい。また、廊下４４の下方に位置するユニット階間空間部６７ｃを吸音空間部としてもよい。この場合、廊下４４で床衝撃音が発生した場合、その音がユニット階間空間部６７ｃにおいて吸収され減衰されるため、廊下４４から一階部分１４（一階空間部３１〜３８）に伝わる床衝撃音を好適に抑制することができる。
【００６４】
・居室４１の下方に位置する両ユニット階間空間部６７ａ，６７ｂ（全体）の外周部に位置する階間大梁部６５（詳しくは天井大梁２２Ａ及び床大梁２３Ｂ）に対してのみグラスウール６９を配設するようにしてもよい。その場合にも、ユニット階間空間部６７ａ，６７ｂ全体がグラスウール６９により囲まれるため、これらユニット階間空間部６７ａ，６７ｂにおいて好適に床衝撃音を吸収する（減衰させる）ことができる。
【００６５】
・隣り合うユニット階間空間部６７ｂ，６７ｃの境界部で隣接する一対の階間大梁部６５ａのうち、ユニット階間空間部６７ｂを区画する階間大梁部６５ａに対してグラスウール６９を設けないようにしてもよい。その場合でも、ユニット階間空間部６７ｃを区画する階間大梁部６５ａに設けられたグラスウール６９によりユニット階間空間部６７ｃからユニット階間空間部６７ｂへの音の拡散を抑制することができるため、廊下４４からの床衝撃音がこれらのユニット階間空間部６７ｂ，６７ｃを通じてリビングダイニング３３に伝わるのを抑制することができる。
【００６６】
・天井大梁２２Ａに梁貫通孔２２ｂが設けられていることに代えて又は加えて、床大梁２３Ｂに梁貫通孔が設けられている場合もある。その場合、その床大梁２３Ｂの溝部２３ａにグラスウール６９を梁貫通孔を塞ぐようにして配設すればよい。
【００６７】
・階間大梁部６５において上下に対向する天井大梁２２Ａ及び床大梁２３Ｂの間には所定の隙間（梁間隙間）が形成されているが、この梁間隙間にもグラスウールを吸音材として配設するようにしてもよい。その場合、隣り合うユニット階間空間部６７の間における音の拡散をより一層抑制することができる。
【００６８】
・例えば図６に示すように、吸音空間部からなるユニット階間空間部６７ａ，６７ｂにおいて下階ユニット２０Ａの天井面材２７の上方に天井吸音材としてのグラスウール７１を配設してもよい。このグラスウール７１は、所定の厚みを有する板状をなしており、天井面材２７に沿って配設されている。グラスウール７１は、その端部において天井大梁２２Ａの溝部２２ａに配設されたグラスウール６９と接触している。詳しくは、グラスウール７１は、ユニット階間空間部６７ａ，６７ｂを囲む４辺の天井大梁２２Ａに配設された各グラスウール６９にそれぞれ接触している。つまり、グラスウール７１は、各グラスウール６９とそれぞれ連続させて設けられている。
【００６９】
かかる構成によれば、吸音空間部（ユニット階間空間部６７ａ，６７ｂ）において音を各グラスウール６９に加えてグラスウール７１によっても吸収することができるため、二階部分１５から一階部分１４に吸音空間部を通じて伝わる衝撃音をより一層低減させることができる。また、グラスウール７１をグラスウール６９に連続させたことによる吸音効果の向上も期待することができる。なお、天井吸音材としては、グラスウール７１以外にロックウール等、他の吸音材を用いてもよい。
【００７０】
・図７（ａ）に示す建物７５では、一の上階ユニット２０Ｂがその下方に配置された下階ユニット２０Ａに対してセットバック（後退）させて配置されている。この場合、これら上下に隣接する下階ユニット２０Ａ及び上階ユニット２０Ｂの境界部にはユニット階間空間部７７が形成されている。このユニット階間空間部７７と、同ユニット階間空間部７７と隣り合うユニット階間空間部７８との境界部には階間大梁部７９が設けられ、その階間大梁部７９を構成する天井大梁２２Ａ及び床大梁２３Ａの各溝部２２ａ，２３ａにはグラスウール６９が配設されている。この場合にも、ユニット階間空間部７７からユニット階間空間部７８へ拡散される音をグラスウール６９により吸収することができるため、階間空間１８における床衝撃音の拡散を抑制することができる。
【００７１】
また、本例の構成では、セットバックされた上階ユニット２０Ｂの屋外側の床大梁２３Ｂが下階ユニット２０Ａの屋外側の天井大梁２２Ａよりも内方（ユニット内側）に配置され、それら各大梁２２Ａ，２３Ｂが上下に対向配置されていない。このような構成にあって、それら各大梁２２Ａ，２３Ｂの溝部２２ａ，２３ａにはそれぞれグラスウール６９が配設されている。それにより、ユニット階間空間部７７を囲む４辺の天井大梁２２Ａ及び床大梁２３の各溝部２２ａ，２３ａにそれぞれグラスウール６９が配設された状態となっている。
【符号の説明】
【００７２】
１０…建物、１４…下階部としての一階部分、１５…上階部としての二階部分、１６…階間部分、１８…階間空間、２０…建物ユニット、２０Ａ…下階ユニット、２０Ｂ…上階ユニット、２２Ａ…下階天井大梁としての天井大梁、２２ａ…溝部、２２ｂ…梁貫通孔、２３Ｂ…下階床大梁としての床大梁、２３ａ…溝部、２７…天井面材、２８…床面材、３３…下階居室としてのリビングダイニング、４１…上階居室としての居室、４４…音発生空間としての廊下、６５…階間大梁部、６５ａ…境界階間大梁部としての階間大梁部、６７…ユニット階間空間部、６７ｂ…第１ユニット階間空間部としてのユニット階間空間部、６７ｃ…第２ユニット階間空間部としてのユニット階間空間部、６９…吸音材としてのグラスウール。
【図１】
0006491551.tif 000002
【図２】
0006491551.tif 000003
【図３】
0006491551.tif 000004
【図４】
0006491551.tif 000005
【図５】
0006491551.tif 000006
【図６】
0006491551.tif 000007
【図７】
0006491551.tif 000008